(57)【要約】【課題】本発明は、無線ネットワーク装置及びこれのためのリソース割当方法を提供する。【解決手段】所定ネットワークの伝送率変動時、所定パケットを伝送するため必要なリソースを計算するリソース計算部、前記計算されたリソースと前記ネットワークのアクセスポイントから割り当てられるリソースを比較する比較部、及び前記比較結果によって前記アクセスポイントへの追加リソースを要請するか否かを決定する制御部を含む。これにより、パケットの伝送率に動的に対応してＱｏＳを維持しながらネットワークリソースの効率的な使用が可能である。【選択図】図２
2007143158.tif 000002
【特許請求の範囲】
【請求項１】
所定ネットワークの伝送率変動時、所定パケットを伝送するため必要なリソースを計算するリソース計算部；
前記計算されたリソースと前記ネットワークのアクセスポイントから割り当てられるリソースを比較する比較部；及び
前記比較結果によって前記アクセスポイントへの追加リソースを要請するか否かを決定する制御部を含むことを特徴とする無線ネットワーク装置。
【請求項２】
前記リソース計算部は、所定時間間隔で前記パケットを伝送するため必要なリソースを計算することを特徴とする請求項１に記載の無線ネットワーク装置。
【請求項３】
前記制御部は、前記比較結果、前記割り当てられるリソースが前記計算されたリソースより大きい場合、剰余リソースを解除することを特徴とする請求項１に記載の無線ネットワーク装置。
【請求項４】
前記制御部は、前記比較結果前記計算されたリソースが前記割り当てられるリソースより大きい場合、前記アクセスポイントに追加リソースを要請することを特徴とする請求項１に記載の無線ネットワーク装置。
【請求項５】
前記アクセスポイントから送信される前記ネットワークで現在使用可能なリソース情報を受信するリソース情報受信部；
前記比較結果、前記計算されたリソースが前記割り当てられるリソースより大きい場合、前記制御部の制御によって前記アクセスポイントに追加リソースを要請するリソース要請部；及び
前記要請に応じる追加リソースを受信するリソース受信部をさらに含むことを特徴とする請求項１に記載の無線ネットワーク装置。
【請求項６】
前記リソース情報は、前記ネットワークの総リソースからベストエフォート型のためのリソースを除外したリソースと割り当てられた総リソースの差である剰余リソースを含むことを特徴とする請求項５に記載の無線ネットワーク装置。
【請求項７】
前記リソース要請部は、前記リソース情報に含まれた剰余リソースが前記追加リソースより大きい場合、前記アクセスポイントに前記追加リソースを要請することを特徴とする請求項６に記載の無線ネットワーク装置。
【請求項８】
前記制御部は、前記リソース情報に含まれた剰余リソースが前記追加リソースより小さい場合、前記パケットを前記ベストエフォート型で伝送することを特徴とする請求項７に記載の無線ネットワーク装置。
【請求項９】
前記アクセスポイントは、前記剰余リソースが前記追加リソースより大きい場合、前記追加要請に応じたリソースを割り当てることを特徴とする請求項６に記載の無線ネットワーク装置。
【請求項１０】
ネットワークによってパケットを伝送するステーションからのリソース要請を受信するリソース要請受信部；
前記受信した要請に応じて前記ネットワークで割り当てることができるリソースを計算するリソース計算部；及び
前記計算結果によって前記ステーションでリソース追加割当するか否かを決定する制御部を含むことを特徴とする無線ネットワーク装置。
【請求項１１】
前記ステーションは、前記ネットワークの伝送率変動時、前記パケットを伝送するために必要なリソースを計算し、前記計算結果によるリソースを要請することを特徴とする請求項１０に記載の無線ネットワーク装置。
【請求項１２】
前記リソース計算部は、前記ネットワークの総リソースからベストエフォート型のためのリソースを除外したリソースと、割り当てられた総リソースの差である剰余リソースについての情報を含むビーコンを前記ステーションに送信することを特徴とする請求項１０に記載の無線ネットワーク装置。
【請求項１３】
前記制御部は、前記ネットワークの総リソースからベストエフォート型のためのリソースを除外したリソースと割り当てられた総リソースより小さい場合、前記割り当てられたリソース及びベストエフォート型のためのリソースを調整して前記剰余リソースを確保することを特徴とする請求項１２に記載の無線ネットワーク装置。
【請求項１４】
前記制御部は、前記剰余リソースが前記追加要請されたリソースより大きい場合、前記ステーションに前記追加要請されたリソースを割り当てることを特徴とする請求項１２に記載の無線ネットワーク装置。
【請求項１５】
所定ネットワークの伝送率変動時、所定パケットを伝送するため必要なリソースを計算する段階；
前記計算されたリソースと前記ネットワークのアクセスポイントから割り当てられるリソースを比較する段階；及び
前記比較結果によって前記アクセスポイントへの追加リソースを要請するか否かを決定する段階を含むことを特徴とする無線ネットワーク装置のためのリソース割当方法。
【請求項１６】
前記リソースを計算する段階は、所定時間間隔で前記パケットを伝送するため必要なリソースを計算する段階を含むことを特徴とする請求項１５に記載の無線ネットワーク装置のためのリソース割当方法。
【請求項１７】
前記追加リソース要請するか否かを決定する段階は、前記比較結果前記割り当てられるリソースが前記計算されたリソースより大きい場合、剰余リソースを解除する段階を含むことを特徴とする請求項１５に記載の無線ネットワーク装置のためのリソース割当方法。
【請求項１８】
前記追加リソース要請するか否かを決定する段階は、前記比較結果前記計算されたリソースが前記割り当てられるリソースより大きい場合、前記アクセスポイントに追加リソースを要請する段階を含むことを特徴とする請求項１５に記載の無線ネットワーク装置のためのリソース割当方法。
【請求項１９】
前記アクセスポイントから送信される前記ネットワークで現在使用可能なリソース情報を受信する段階；
前記比較結果、前記計算されたリソースが前記割り当てられるリソースより大きい場合、前記制御部の制御によって前記アクセスポイントに追加リソースを要請する段階；及び
前記要請に応じた追加リソースを受信する段階をさらに含むことを特徴とする請求項１５に記載の無線ネットワーク装置のためのリソース割当方法。
【請求項２０】
前記リソース情報は、前記ネットワークの総リソースからベストエフォート型のためのリソースを除外したリソースと、割り当てられた総リソースの差である剰余リソースを含むことを特徴とする請求項１９に記載の無線ネットワーク装置のためのリソース割当方法。
【請求項２１】
前記リソースを要請する段階は、前記リソース情報に含まれた剰余リソースが前記追加リソースより大きい場合、前記アクセスポイントで前記追加リソースを要請する段階を含むことを特徴とする請求項２０に記載の無線ネットワーク装置のためのリソース割当方法。
【請求項２２】
前記追加リソース要請要否を決定する段階は、前記リソース情報に含まれた剰余リソースが前記追加リソースより小さい場合、前記パケットを前記ベストエフォート型で伝送する段階を含むことを特徴とする請求項２１に記載の無線ネットワーク装置のためのリソース割当方法。
【請求項２３】
前記アクセスポイントは、前記剰余リソースが前記追加リソースより大きい場合、前記追加要請に応じたリソースを割り当てることを特徴とする請求項２０に記載の無線ネットワーク装置のためのリソース割当方法。
【請求項２４】
ネットワークによってパケットを伝送するステーションからのリソース要請を受信する段階；
前記受信した要請に応じて前記ネットワークで割り当てることができるリソースを計算する段階；及び
前記計算結果によって前記ステーションでリソース追加割当するか否かを決定する段階を含むことを特徴とする無線ネットワーク装置のためのリソース割当方法。
【請求項２５】
前記ステーションは、前記ネットワークの伝送率変動時、前記パケットを伝送するために必要なリソースを計算し、前記計算結果によるリソースを要請することを特徴とする請求項２４に記載の無線ネットワーク装置のためのリソース割当方法。
【請求項２６】
前記リソースを計算する段階は、前記ネットワークの総リソースからベストエフォート型のためのリソースを除外したリソースと、割り当てられた総リソースの差である剰余リソースについての情報を含むビーコンを前記ステーションに送信する段階を含むことを特徴とする請求項２４に記載の無線ネットワーク装置のためのリソース割当方法。
【請求項２７】
前記リソース追加割当するか否かを決定する段階は、前記ネットワークの総リソースからベストエフォート型のためのリソースを除外したリソースと割り当てられた総リソースより小さい場合、前記割り当てられたリソース及びベストエフォート型のためのリソースを調整して前記剰余リソースを確保する段階を含むことを特徴とする請求項２６に記載の無線ネットワーク装置のためのリソース割当方法。
【請求項２８】
前記リソース追加割当するか否かを決定する段階は、前記剰余リソースが前記追加要請されたリソースより大きい場合、前記ステーションに前記追加要請されたリソースを割り当てる段階を含むことを特徴とする請求項２６に記載の無線ネットワーク装置のためのリソース割当方法。
【発明の詳細な説明】
【技術分野】
【０００１】
本発明は、無線ネットワーク装置及びこれのためのリソース割当方法に係り、さらに詳細には、パケットの伝送率に動的に対応してＱｏＳを維持しながらネットワークリソースの効率的な使用が可能な無線ネットワーク装置及びこれのためのリソース割当方法に関する。
【背景技術】
【０００２】
セットトップボックス、ディジタルテレビジョン、個人ディジタル補助装置及び無線インターネット装置などのような高品質マルチメディア装置の開発は多様なアーキテクチャに導いており、このような装置の開発は人がマルチメディアサービスについての需要を増加させ続けるようにする。従って、ネットワーク設計者及びエンジニアは統合ネットワークによる実時間及び非実時間マルチメディアデータ転送について増加した需要を満足することができるシステムを設計し続けてきている。
【０００３】
インターネットプロトコル（ＩＰ）基盤のインターネットは使用者にどんなサービス水準も保障しない“ベストエフォート型サービス”を提供する。ＩＰネットワークによるベストエフォート型サービスは複雑度がエンドホストで留まるようにできるのでネットワークが単純化され、インターネットの刮目に価する成長はこの方法が適切であるということを示す良い例である。
【０００４】
一方、最近ＩＥＥＥ８０２．１１無線ＬＡＮ（ＷＬＡＮ）が移動／携帯形装置に関する広域無線アクセスについての支配的な技術として出現した。このようなＩＥＥＥ８０２．１１はベストエフォート型を支援するため“イーサネット（登録商標）”の無線バージョンとして考慮することができる。ＩＥＥＥ８０２．１１ワーキンググループは現在ＱｏＳ（クオリティオブサービス）を支援するため既存のレガシィ８０２．１１ＭＡＣ（メディアムアクセスコントロール）層に新たな補充を規定している。
【０００５】
新たな８０２．１１ｅ  ＭＡＣは無線ＬＡＮによる音声及びビデオサービスのようなアプリケーションを可能にして８０２．１１アプリケーションの領域を拡張させるようになった。ＩＥＥＥ８０２．１１ｅ標準はＱｏＳを支援する産業の普遍的な無線標準を構成しており、ＩＥＥＥ８０２．１１ｅは家庭、企業及び空中アクセスネットワーキング環境と絶え間なく相互作用を提供するが、やはり各類型のネットワークの固有な要求を満足させる特徴を提供する。ＩＥＥＥ８０２．１１ｅは過去のレガシィ標準と完璧に互換されながらもＱｏＳ特徴及びマルチメディア支援を既存のＩＥＥＥ８０２．１１標準に追加して家庭及びビジネス環境にかけて無線標準を提供する。
【０００６】
マルチメディアデータについてのＱｏＳ支援は音声、オーディオ及びビデオが複数のネットワーキングされた家庭の電子装置及びパソコンに伝達されるホームネットワークに重要である。広帯域サービス提供者はＱｏＳ及びマルチメディア可能家庭用ネットワークを居住顧客に注文型ビデオ、注文型オーディオＩＰによる音声及び高速インターネットアクセスのような付加価値サービスを提供する場合に必須的な要素としている。
【０００７】
適切なサービスを提供するためには、ネットワークサービス類型についてある程度水準の量と品質の判定が要求される。これはネットワークに遅延、ジッタ及び損失に関する厳格なタイミング要求を有するトラフィックと異なる類型のトラフィックを区別できるようにする一部能力を追加することを要求する。また、ＱｏＳ提供のためのプロトコルが達成されるように設計されることである。ＱｏＳ提供は、帯域幅を生成しないが広範囲のアプリケーション要求を満足させるようにより効果的に帯域幅を管理する。ＱｏＳ提供の目的は多くの水準の予測可能性を提供し、現在のインターネットプロトコルを越えてベストエフォート型サービスを提供することである。
【０００８】
現在ＩＥＥＥ８０２．１１ｅ標準は、トラフィックストリームに関するＱｏＳ要求を協商するためのプロトコルを開示している。ハイブリッド調整子内のスケジューラはそれぞれのステーションに関するサービススケジュールを決定することを担当する。スケジューリングはそれぞれの事前協商されたＱｏＳ要求が満足されるように遂行される。
【０００９】
一方、ステーションはパケット送信のためアクセスポイントでリソース割当を要請するようになり、アクセスポイントはステーションが要請したリソースを割り当てる過程を経るようになる。このような方法はＱｏＳを保障する場合に効果的な方法であることができるが、限定されたリソースの使用効率を減少させる結果を招来するようになる。言い換えれば、ステーションがパケット送信のためアクセスポイントに要請したリソースは物理階層の伝送率を考慮しないリソースである。従って、ステーションが要請したリソースについて物理階層の伝送率が大きいか小さい場合限定されたリソースの効率的な使用が難しいという問題点がある。
【００１０】
図１は、一般的なステーションとアクセスポイント間のリソース割当方法が示されている図面である。
【００１１】
図示するように、一般的なステーションとアクセスポイント間のリソース割当方法は、先ずステーション１０がアクセスポイント２０にパケット送信のため必要なリソースを計算し（Ｓ１０）、計算結果によるリソースをアクセスポイント２０に要請するようになる（Ｓ１０）。以後、アクセスポイント２０はステーション１０に割り当てるリソースがあるか否かを判断する（Ｓ３０）。
【００１２】
判断結果、アクセスポイント２０がステーション１０が要請したリソースを割り当てることができる場合、アクセスポイント２０はステーション１０が要請したリソースを割り当てるようになる（Ｓ４０）。
【００１３】
この時、前述した図１のようなステーションとアクセスポイント間のリソース割当方法は、ステーションが実際にパケットを送信する物理階層の伝送率を考慮しない方法である。従って、ステーションが割り当てられるリソースが物理階層の伝送率に比べて小さい場合にはパケット送信時割り当てられるべき時間が増加するようになり、反対にステーションが割り当てられるリソースが物理階層の伝送率に比べて大きい場合には剰余リソースが存在するようになる。従って、物理階層の伝送率に対応して効率的にリソースを管理して効果的にＱｏＳを保障する方案が要求されている。
【００１４】
特許文献１は無線ネットワークのハイブリッド調整子内で無線ステーションについてのＱｏＳサービススケジュールを生成し、生成されたＱｏＳサービススケジュールをハイブリッド調整子から無線ステーションに伝送するＱｏＳサービススケジュール提供方法を開示しているが、これは無線ステーション内のＱｏＳサービススケジュールを使用して伝送機会がハイブリッド調整子によってスケジュールされない時間の間節電モードに入って電力管理を遂行することに関するものであり、物理階層の変化する伝送率に動的に対応しながらＱｏＳを維持して無線ＬＡＮリソースを効率的に使用できる方案は提案されていない。
【特許文献１】韓国公開特許第２００５−００５７１２４号公報
【発明の開示】
【発明が解決しようとする課題】
【００１５】
本発明が解決しようとする技術的課題は、ネットワークの伝送率に密接な物理階層の伝送率変動を感知し、物理階層の伝送率によって適応的にリソースを効率的に管理し、ＱｏＳを維持できる無線ネットワーク装置及びこのためのリソース割当方法を提供することにある。
【００１６】
本発明の技術的課題は以上で言及した技術的課題で制限されないし、言及されないまた他の技術的課題は以下の記載から当業者に明確に理解されることができることである。
【課題を解決するための手段】
【００１７】
前記技術的課題を達成するための本発明の一実施形態による無線ネットワーク装置は、所定ネットワークの伝送率変動時、所定パケットを伝送するため必要なリソースを計算するリソース計算部、前記計算されたリソースと前記ネットワークのアクセスポイントから割り当てられるリソースを比較する比較部、及び前記比較結果によって前記アクセスポイントへの追加リソースを要請するか否かを決定する制御部を含む。
【００１８】
また、前記技術的課題を達成するための本発明の他の実施形態による無線ネットワーク装置は、ネットワークによってパケットを伝送するステーションからのリソース要請を受信するリソース要請受信部、前記受信した要請に応じて前記ネットワークで割り当てることができるリソースを計算するリソース計算部、及び前記計算結果によって前記ステーションでリソース追加割当するか否かを決定する制御部を含む。
【００１９】
また、前記他の技術的課題を達成するための本発明の実施形態による無線ネットワーク装置のためのリソース割当方法は、所定ネットワークの伝送率変動時、所定パケットを伝送するため必要なリソースを計算する段階、前記計算されたリソースと前記ネットワークのアクセスポイントから割り当てられるリソースを比較する段階、及び前記比較結果によって前記アクセスポイントへの追加リソースを要請するか否かを決定する段階を含む。
【００２０】
また、前記他の技術的課題を達成するための本発明の他の実施形態による無線ネットワーク装置のためのリソース割当方法は、ネットワークによってパケットを伝送するステーションからのリソース要請を受信する段階、前記受信した要請に応じて前記ネットワークで割り当てることができるリソースを計算する段階、及び前記計算結果によって前記ステーションでリソース追加割当するか否かを決定する段階を含む。
【００２１】
その他実施形態の具体的な事項は詳細な説明及び図面に含まれている。
【発明の効果】
【００２２】
上述したような本発明の無線ネットワーク装置及びこれのためのリソース割当方法によれば、ステーションにリソースを割り当てる場合、物理階層の伝送率変動に応じて適応的にリソースを管理するので限定されたリソースの効率的な使用が可能であり、ＱｏＳを保障できる。
【発明を実施するための最良の形態】
【００２３】
本発明の利点及び特徴、そしてそれらを達成する方法は添付する図面と共に詳細に後述している実施形態を参照すれば明確になる。しかしながら、本発明は、以下で開示される実施形態に限定されるものではなく、相異なる多様な形態で具現されるものであり、本実施形態は、本発明の開示が完全となり、当業者に発明の範疇を完全に知らせるために提供されるものであり、本発明は、特許請求の範囲の記載に基づいて決められなければならない。なお、明細書全体にかけて同一参照符号は同一構成要素を示すものとする。
【００２４】
以下、本発明の実施形態によって無線ネットワーク装置及びこれのためのリソース割当方法を説明するためのブロック図又は処理流れ図についての図面を参照して本発明について説明する。この時、処理流れ図、図面の各ブロックと流れ図、図面の組み合わせはコンピュータプログラムインストラクションによって遂行できることを理解できるものである。これらコンピュータプログラムインストラクションは、汎用コンピュータ、特殊用コンピュータ又はその他プログラム可能なデータプロセッシング装備のプロセッサーに搭載できるため、コンピュータ又はその他プログラム可能なデータプロセッシング装備のプロセッサーによって遂行されるそれのインストラクションが流れ図ブロックで説明された機能を遂行する手段を生成するようになる。これらコンピュータプログラムインストラクションは、特定方式で機能を実現するためコンピュータ又はその他プログラム可能なデータプロセッシング装備を指向できるコンピュータ利用可能又はコンピュータ読み取り可能メモリに貯蔵されることも可能なので、そのコンピュータ利用可能又はコンピュータ読み取り可能メモリに貯蔵されたインストラクションは流れ図ブロックで説明された機能を遂行するインストラクション手段を内包する製造品目を生産することも可能である。コンピュータプログラムインストラクションは、コンピュータ又はその他プログラム可能なデータプロセッシング装備上に搭載されることも可能なので、コンピュータ又はその他プログラム可能なデータプロセッシング装備上で一連の動作段階が遂行されてコンピュータで実行されるプロセスを生成してコンピュータ又はその他プログラム可能なデータプロセッシング装備を遂行するインストラクションは、流れ図ブロックで説明された機能を実行するための段階を提供することも可能である。
【００２５】
また、各ブロックは特定された論理的機能を実行するための一つ以上の実行可能なインストラクションを含むモジュール、セグメント又はコードの一部を示すことができる。また、幾つ代替実行例ではブロックで言及された機能が順序を外れて発生することも可能なことを注目しなければならない。例えば、連なって示されている二個のブロックは事実実質的に同時に遂行されることも可能であり、又はそのブロックがたびたび該当する機能によって逆順に遂行されることも可能である。
【００２６】
図２は、本発明の実施形態によるステーションの構成が示されている図面である。
【００２７】
図示するように、本発明の実施形態によるステーション１００は、リソース計算部１１０、比較部１２０、制御部１３０、リソース情報受信部１４０及びリソース要請部１５０を含むことができる。
【００２８】
リソース計算部１１０は、ネットワークによって伝送するパケットによって必要なリソースを計算できる。言い換えれば、ステーション１００が伝送するパケットが実時間マルチメディアデータであるか、又は前述したベストエフォート型サービスであるか否かによって必要なリソースが変わるようになる。例えば、ステーション１００が伝送するパケットが実時間マルチメディアデータである場合にはベストエフォート型サービスの場合に比べて大きいリソースが必要なようになる。この時、本発明の実施形態で使用される用語のうち‘リソース’はネットワーク内に存在する各ステーションがパケットを伝送するため割り当てられる時間などに理解できる。
【００２９】
また、リソース計算部１１０は、前述したパケットの変動だけではなく、同一なパケットについてＯＳＩ（オープンシステムインターコネクション）の階層で実際パケットが送信する物理階層での伝送率変動などによるリソースを計算できる。参考に、ＯＳＩ階層は、最下位から物理階層、データリンク階層、ネットワーク階層、伝送階層、セッション階層、表現階層及び応用階層に分けられるようになる。この時、実際パケットは物理階層によって送信するので最下位階層である物理階層を除外した上位階層での伝送率が大きいとしても実際伝送率は最下位階層である物理階層に依存するようになる。従って、リソース計算部１１０は物理階層の伝送率変動に応じて必要なリソースを再び計算できる。例えば、リソース計算部１１０は物理階層の伝送率が減少すれば、これを感知してパケットを送信する場合に必要な時間を計算できる。また、リソース計算部１１０は伝送率変動に応じてパケットを送信する場合に必要な時間を所定時間間隔に計算するようになるが、これはあまり頻繁な計算はむしろシステムの負荷を増加させることができるためである。
【００３０】
比較部１２０は、リソース計算部１１０によって計算されたリソースとステーション１００がネットワーク内で既に割り当てられるリソースを比較できる。言い換えれば、ステーション１００が過去に割り当てられたリソースとステーション１００が現在送信しようとするパケットによって必要なリソースを比較できる。一方、比較部１２０は過去に割り当てられたリソースがない場合には過去に割り当てられたリソースと計算されたリソースを比較する過程を省略できる。
【００３１】
制御部１３０は、比較部１２０の比較結果によって過去に割り当てられたリソースについて追加リソースを要請するか否かを決定できる。例えば、ステーション１００が過去に割り当てられたリソースはベストエフォート型サービスであり、現在送信するパケットは実時間マルチメディアデータである場合、制御部１３０は過去に割り当てられたリソースに比べて大きいリソースが必要なので過去に割り当てられたリソースについて追加的に必要なリソースを要請できる。また、制御部１３０は前述した伝送率が減少した場合にはパケットを送信する場合に必要なリソースが増加するので追加的に必要なリソースを要請できる。一方、過去に割り当てられたリソースがない場合、制御部１３０は現在送信しようとするパケット全体に関するリソースを要請できる。
【００３２】
また、制御部１３０は、計算されたリソースが過去に割り当てられたリソースに比べて大きい場合、それによる剰余リソースを解除してネットワークに返還できる。この時、返還されたリソースは今後再び割り当てられるか、また他のステーションに割り当てる場合使用できる。
【００３３】
リソース情報受信部１４０は、ネットワーク内でリソースを割り当てる機器から現在割り当てることができるリソースに関するリソース情報を受信できる。このようなリソース情報はリソースを割り当てる機器から所定時間間隔に受信され続けることができる。従って、制御部１３０は受信するリソース情報によってネットワークで追加要請したリソースを割り当てられることができるか否かを事前に判断して不要な追加リソース要請が行われることを防止できる。この時、制御部１３０は受信したリソース情報によって現在割当可能なリソースが追加要請したリソースに比べて小さい場合、追加にリソースを要請せず前述したベストエフォート型サービスによってパケットを送信できる。
【００３４】
リソース要請部１５０は、制御部１３０の制御によってネットワークにリソースを割り当てる機器に追加的なリソースを要請できる。この時、リソース要請部１５０は制御部１３０が現在割当可能なリソースが追加要請したリソースに比べて大きいと判断された場合、ネットワークでリソースを割り当てる機器に追加的なリソースを要請できる。
【００３５】
図３は、本発明の実施形態によるアクセスポイントの構成が示されている図面である。
【００３６】
図示するように、本発明の実施形態によるアクセスポイント２００は、リソース要請受信部２１０、リソース計算部２２０、制御部２３０及びリソース割当部２４０を含むことができる。
【００３７】
リソース要請受信部２１０は、ネットワーク内の所定機器からのリソース要請を受信できる。この時、受信するリソース要請は過去に割り当てられたリソースについて追加的なリソース要請であってもよく、過去に割り当てられたリソースがない場合所定パケット全体に関するリソース要請であってもよい。
【００３８】
リソース計算部２２０は、リソース要請受信部２１０で受信したリソース要請に応じて現在割り当てることができるリソースを計算できる。具体的には、リソース計算部２２０はネットワークの総リソース、ベストエフォート型サービスのためのリソース量、及び割り当てられた総リソースによって現在割り当てることができるリソースを計算できる。例えば、ネットワークの総リソースをＣといい、ベストエフォート型サービスのためのリソース量をＢといい、割り当てられた総リソースをＲといえば、割り当てることができるリソースＡＲは、ＡＲ＝Ｃ−Ｂ−Ｒによって求められることができる。この時、Ｃ≦Ｂ＋Ｒの関係を有するようになる。従って、アクセスポイント２００はＣ−Ｂ＞Ｒである場合にはネットワーク内機器で所定のリソースを割り当てることができる状態になる。
【００３９】
また、リソース計算部２２０はリソース要請と共に所定時間間隔にＡＲによって現在割り当てることができるリソースに関する情報を含むビーコンをネットワーク内機器に送信できる。従って、ネットワーク内機器は受信したビーコンによって現在割り当てられることができるリソースを判断できるようになる。
【００４０】
制御部２３０は、リソース計算部２２０の計算結果によってリソースを要請した機器でリソースを割り当てることであるか否かを決定できる。具体的には、要請されたリソースが現在割り当てることができるか否かを判断し、判断結果要請されたリソースが現在割り当てることができる場合にのみリソース割当部２４０によってリソースを要請した機器でリソースを割り当てることができる。
【００４１】
図４は、本発明の実施形態によるステーションで追加リソースを要請する方法が示されている図面である。
【００４２】
図示するように、本発明の実施形態によるステーションで追加リソースを要請する方法は、先ずステーション１００のリソース計算部１１０でパケット送信に必要なリソースを計算する（Ｓ１１０）。この時、本発明の実施形態ではリソース計算部１１０が前述したような伝送率の変動が発生して必要なリソースを計算する場合を例を挙げて説明しているが、これに限定されずパケットの種類が変更される場合にも必要なリソースを計算できる。
【００４３】
比較部１２０は、計算されたリソースと過去に割り当てられたリソースを比較する（Ｓ１２０）。この時、比較部１２０は過去に割り当てられたリソースがない場合に計算されたリソースと過去に割り当てられたリソースを比較する過程を省略できる。
【００４４】
比較結果、計算されたリソースが過去に割り当てられたリソースに比べて大きい場合、言い換えればパケット伝送のため必要なリソースが不足した場合、制御部１３０は追加リソース要請が可能であるか否かを判断し（Ｓ１３０）、判断結果追加要請が可能な場合、リソース要請部１５０によって追加リソースを要請するようになる（Ｓ１４０）。言い換えれば、制御部１３０はリソース情報受信部１４０によって受信するリソース情報によって現在割り当てられることができるリソースを事前に判断でき、判断結果によって追加リソースを要請できる場合リソース要請部１５０によって追加リソースを要請できる。
【００４５】
もし比較結果、過去に割り当てられたリソースが計算されたリソースに比べて大きい場合には過去に割り当てられたリソースのうちパケット送信に必要なリソースを除外した剰余リソースを解除するようになる（Ｓ１５０）。この時、解除される剰余リソースは今後再び割り当てられるか、また他のステーションに割り当てられる場合使用できる。
【００４６】
図５は、本発明の実施形態によるアクセスポイントのリソース要請処理方法が示されている図面である。
【００４７】
図示するように、本発明の実施形態によるアクセスポイントのリソース要請処理方法は、先ずステーション１００からのリソース要請を受信する（Ｓ２１０）。具体的には、アクセスポイント２００はリソース要請受信部２１０によってステーション１００からのリソース要請を受信できる。
【００４８】
以後、リソース計算部２２０は前述したＡＲによって現在割り当てることができるリソースを計算するようになる（Ｓ２２０）。
【００４９】
制御部２３０は、計算されたリソースと受信したリソース要請に応じるリソースを比較する（Ｓ２３０）。
【００５０】
比較結果、計算されたリソースが要請されたリソースに比べて大きい場合、制御部２３０はリソース割当部２４０によってリソースを要請したステーションでリソースを割り当てるようになる（Ｓ２４０）。
【００５１】
もし比較結果、計算されたリソースが要請されたリソースに比べて小さい場合、制御部２３０はリソースを要請したステーションへのリソース割当を拒絶するようになる（Ｓ２５０）。
【００５２】
図６は、本発明の実施形態によるアクセスポイントでビーコンを送信する方法が示されている図面である。
【００５３】
図示するように、本発明の実施形態によるアクセスポイントでビーコンを送信する方法は、先ずアクセスポイント２００はネットワークの総リソース（Ｃ）を計算する（Ｓ３１０）。
【００５４】
また、アクセスポイント２００は、ベストエフォート型サービスのためのリソース（Ｂ）及び割り当てられた総リソース（Ｒ）を計算する（Ｓ３２０）。
【００５５】
以後、アクセスポイント２００のリソース計算部２２０は割り当てられた総リソースがネットワークの総リソースでベストエフォート型サービスのためのリソースを除外したリソースより大きいか否かを判断する（Ｓ３３０）。
【００５６】
判断結果、ネットワークの総リソースでベストエフォート型サービスのためのリソースを除外したリソースが割り当てられた総リソースより大きい場合、割り当てることができるリソースがあるので制御部２３０は割当可能なリソースを含むビーコンをネットワーク内ステーションに送信する（Ｓ３４０）。
【００５７】
もし判断結果、ネットワークの総リソースでベストエフォート型サービスのためのリソースを除外したリソースが割り当てられた総リソースより小さい場合、割り当てることができるリソースがないので制御部２３０は割り当てられたリソース及びベストエフォート型サービスのためのリソースを調節して割り当てることができるリソースを確保するようになる（Ｓ３５０）。以後、割り当てることができるリソースが確保されるときまで前述した段階（Ｓ３３０）及び段階（Ｓ３５０）を反復的に遂行するようになる。
【００５８】
図７は、本発明の実施形態によるステーションとアクセスポイント間のリソース割当方法が示されている図面である。
【００５９】
図示するように、本発明の実施形態によるステーションとアクセスポイント間のリソース割当方法は、先ずステーション１００で伝送率の変動が発生した場合（Ｓ４１０）、ステーション１００は変動された伝送率によってパケットを送信することに必要なリソースを計算する（Ｓ４２０）。本発明の実施形態でステーション１００が伝送率変動に応じてパケットを送信することに必要なリソースを計算する場合を例を挙げて説明しているが、これに限定されずパケットの種類、すなわちベストエフォート型サービスであるか、又は実時間マルチメディアデータであるか否かなどによってパケットを送信する場合に必要なリソースを計算できる。
【００６０】
この時、ステーション１００はリソースを割り当てられないか、或いは過去に割り当てられたリソースが現在パケットを送信することに必要なリソースに比べて小さい場合、アクセスポイント２００でリソースを要請するようになる（Ｓ４３０）。一方、ステーション１００は過去に割り当てられたリソースが現在パケットを送信することに必要なリソースに比べて大きい場合、それによる剰余リソースを解除するようになる。
【００６１】
アクセスポイント２００は、ステーション１００からのリソース要請に応じて割当可能なリソースを計算するようになる（Ｓ４４０）。言い換えれば、前述した図５のように割当可能なリソースを計算して、割当可能な場合ステーション１００が要請したリソースを割り当てるようになる（Ｓ４５０）。
【００６２】
前記‘部’はソフトウェア又はＦＰＧＡ（フィールドプログラマブルゲートアレイ）又は注文型半導体（アプリケーションスペシフィックインテグレーテッドサーキット；ＡＳＩＣ）のようなハードウェア構成要素を意味し、部はどんな役割を遂行する。でも部は、ソフトウェア又はハードウェアに限定される意味ではない。部は、アドレッシングできる貯蔵媒体にあるように構成されてもよく、一つ又はその以上のプロセッサーを実行させるように構成されてもよい。従って、例えば部はソフトウェア構成要素、オブジェクト指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素と部で提供される機能はさらに小さい数の構成要素及び部で結合されるか、或いは追加的な構成要素と部でさらに分離できる。
【００６３】
以上のように本発明に従う無線ネットワーク装置及びこれのためのリソース割当方法を例示された図面を参照して説明したが、本明細書に開示された実施形態と図面によって本発明は限定されなく、その発明の技術思想範囲内で当業者によって多様な変形が行われることができることは勿論である。
【図面の簡単な説明】
【００６４】
【図１】一般的なステーションとアクセスポイント間のリソース割当方法が示されている図である。
【図２】本発明の実施形態によるステーションが示されている図である。
【図３】本発明の実施形態によるアクセスポイントが示されている図である。
【図４】本発明の実施形態によってステーションが追加リソースを要請する方法が示されている図である。
【図５】本発明の実施形態によるアクセスポイントのリソース要請処理方法が示されている図である。
【図６】本発明の実施形態によるアクセスポイントでビーコンを送信する方法が示されている図である。
【図７】本発明の実施形態によるステーションとアクセスポイント間のリソース割当方法が示されている図である。
【符号の説明】
【００６５】
１１０      リソース計算部
１２０      比較部
１３０      制御部
１４０      リソース情報受信部
１５０      リソース要請部
【図１】
2007143158.tif 000003
【図２】
2007143158.tif 000004
【図３】
2007143158.tif 000005
【図４】
2007143158.tif 000006
【図５】
2007143158.tif 000007
【図６】
2007143158.tif 000008
【図７】
2007143158.tif 000009